(57)【要約】  本発明は、二次元コードに基づく装置の使用方法及び洗濯機を提供する。本願に係る二次元コードに基づく装置の使用方法では、各装置が二次元コードとバインディングしており、二次元コードが少なくともダウンロードアドレスフィールドと、操作インターフェースアドレスフィールドと、装置ユニークコードフィールドとを含み、各装置の二次元コードが互いに異なっている。
2018534704.tif 000002
【特許請求の範囲】
【請求項１】
二次元コードに基づく装置の使用方法であって、前記装置のそれぞれが一つの二次元コードとバインディングしており、前記二次元コードが少なくともダウンロードアドレスフィールドと、操作インターフェースアドレスフィールドと、装置ユニークコードフィールドとを含み、前記装置の前記二次元コードが互いに異なっている、二次元コードに基づく装置の使用方法。
【請求項２】
前記装置ユニークコードフィールドは、装置タイプコード、日付、ローカルシリアル番号により構成されている、請求項１に記載の二次元コードに基づく装置の使用方法。
【請求項３】
前記日付は、バインディングされた装置の生産日付、バインディングされた装置の使用開始日付、又は前記二次元コードの生成日付である、請求項２に記載の二次元コードに基づく装置の使用方法。
【請求項４】
移動端末に目標装置のアプリケーションがインストールされたか否かを判断し、目標装置のアプリケーションがインストールされた場合、アプリケーションを用いて前記二次元コードを走査した後に、選定、予約及び／又は支払い操作を実行すること、或いは、
目標装置のアプリケーションがインストールされていない場合、移動端末が前記目標装置の前記二次元コードを走査すること、
移動端末が前記二次元コードによってアプリケーションをダウンロードしてインストールすること、及び、
アプリケーションを用いて前記二次元コードを走査した後に、選定、予約及び／又は支払い操作を実行することを含む、請求項１〜３のいずれか一項に記載の二次元コードに基づく装置の使用方法。
【請求項５】
移動端末が目標装置の前記二次元コードを走査すること、
移動端末が前記二次元コードによってサーバへリンクすること、及び、
移動端末が前記サーバで選定、予約及び／又は支払い操作を実行することを含む、請求項１〜３のいずれか一項に記載の二次元コードに基づく装置の使用方法。
【請求項６】
前記サーバはクラウドサーバである、請求項５に記載の二次元コードに基づく装置の使用方法。
【請求項７】
前記装置は洗濯機である、請求項１〜３のいずれか一項に記載の二次元コードに基づく装置の使用方法。
【請求項８】
請求項１〜６のいずれか一項に記載の方法を用いた洗濯機であって、ケースと、制御装置とを含み、前記ケースに二次元コードが設置されている、洗濯機。
【請求項９】
前記制御装置は、クラウドサーバに通信接続されている、請求項８に記載の洗濯機。
【発明の詳細な説明】
【技術分野】
【０００１】
本願は、洗濯装置及びその制御方法の分野に関し、例えば、二次元コードに基づく装置の使用方法及び当該制御方法を用いた洗濯機に関する。
【背景技術】
【０００２】
関連技術に係る洗濯機の情報インタラクティブシステムは、ユーザと洗濯機メーカーとの間のインタラクティブ情報インターフェースを提供するためのインタラクティブプラットフォームと、洗濯機アクセサリーに設置された二次元コードラベルと、二次元コードラベルを走査してアドレス情報を取得し、アドレス情報によってインタラクティブプラットフォームを介してインタラクティブ情報を取得するための移動端末と、洗濯機メーカーにより入力されたインタラクティブ情報を受信し、インタラクティブプラットフォームを介してインタラクティブ情報を前記ユーザに提供するためのサーバとを含む。ここで、二次元コードラベルは、インタラクティブプラットフォームのアドレス情報を有し、サーバは、インタラクティブプラットフォームと関連付けられ、当該システムは、ユーザと洗濯機メーカーとの間の情報インタラクションを実現できる。
【０００３】
当該システムとインタラクティブ方法は、以下の欠点を含む。１．インタラクティブ内容には、洗濯機の故障コード情報と、洗濯機の販売オファー情報と、洗濯機のマニュアル情報と、常連客のニーズ情報の追跡と、洗濯機に対する顧客ニーズのアンケート等に関する情報しか含まれないため、ユーザと洗濯機メーカーとの交流は便利になり趣味性とインタラクティブ性を向上させるが、洗濯機の使用は便利にはならない（例えば、移動端末で支払いをしたり、予約をするなど）。２．二次元コードは、唯一性を有さず、同バッチの洗濯機の二次元コードは同一の可能性もあり、二次元コードをもとに特定の洗濯機に対応することができない。
【発明の概要】
【発明が解決しようとする課題】
【０００４】
本願は、二次元コードと装置とが１対１で対応する、二次元コードに基づく装置の使用方法を提出することを１つの目的とする。
【０００５】
本願は、上記方法を用いた洗濯機を提出することをもう一つの目的とする。
【課題を解決するための手段】
【０００６】
その目的を達成するために、本願は以下の技術案を採用する。すなわち、二次元コードに基づく装置の使用方法であって、前記装置のそれぞれが一つの二次元コードとバインディングしており、前記二次元コードが少なくともダウンロードアドレスフィールドと、操作インターフェースアドレスフィールドと、装置ユニークコードフィールドとを含み、前記装置の二次元コードが互いに異なっている、二次元コードに基づく装置の使用方法を採用する。
【０００７】
好ましくは、前記装置ユニークコードフィールドは、装置タイプコード、日付、ローカルシリアル番号により構成されている。
【０００８】
好ましくは、前記日付は、バインディングされた装置の生産日付、バインディングされた装置の使用開始日付、又は前記二次元コードの生成日付である。
【０００９】
好ましくは、前記方法は、
移動端末に目標装置のアプリケーションがインストールされたか否かを判断し、目標装置のアプリケーションがインストールされた場合、アプリケーションを用いて前記二次元コードを走査した後に、選定、予約及び／又は支払い操作を実行すること、或いは、
目標装置のアプリケーションがインストールされていない場合、移動端末が前記目標装置の前記二次元コードを走査すること、
移動端末が前記二次元コードによってアプリケーションをダウンロードしてインストールすること、及び、
アプリケーションを用いて前記二次元コードを走査した後に、選定、予約及び／又は支払い操作を実行することを含む。
【００１０】
好ましくは、前記方法は、
移動端末が目標装置の前記二次元コードを走査すること、
移動端末が前記二次元コードによってサーバへリンクすること、及び、
移動端末が前記サーバで選定、予約及び／又は支払い操作を実行することを含む。
【００１１】
好ましくは、前記サーバはクラウドサーバである。
【００１２】
好ましくは、前記装置は洗濯機である。
【００１３】
また、本願は以下の技術案を採用する。すなわち、上記方法を用いた洗濯機であって、ケースと、制御装置とを含み、前記ケースに二次元コードが設置されている洗濯機を採用する。
【００１４】
好ましくは、前記制御装置は、クラウドサーバに通信接続されている。
【発明の効果】
【００１５】
本願の実施例では、二次元コードに基づく装置の使用方法における、各装置とバインディングしている二次元コードがただひとつであり、ダウンロードアドレスフィールド、操作インターフェースアドレスフィールド、装置ユニークコードフィールドにより構成された二次元コードは、各装置を他の同類の装置から区別でき、ユーザの使用に便利である。ユーザは、ある公共の装置の前にいる場合、移動端末を用いて装置の二次元コードを直接走査し、操作を実行することができ、移動端末によるサーバへのログイン、場所とシリアル番号に応じた当該装置の選定、当該装置に対する支払い等の操作による煩雑なプロセスを簡略化することができ、ユーザ体験が良い。
【００１６】
本願の洗濯機は、ケースに二次元コードが設置されているため、上記方法を用いて選定、予約及び／又は支払い等の操作を実行するので、使いやすい。
【図面の簡単な説明】
【００１７】
１つ或いは複数の実施例を、対応する図面における図を用いて例示的に説明するが、これらの例示的な説明は、実施例を限定するものではない。図面における同一の参照符号を有する構成要素は、類似する構成要素であり、特に記載がない限り、図面の図は比例を制限しない。
【００１８】
【図１】本願の実施例１に係る制御方法のフローチャートである。
【図２】本願の実施例２に係る制御方法のフローチャートである。
【発明を実施するための形態】
【００１９】
以下、図面を参照しながら、具体的な実施形態によって本願の技術案を更に説明する。矛盾がなければ、実施例における特徴は、任意の組み合わせで互いに組み合わせることができる。
【００２０】
実施例１
本実施例では、公共の場所に設置され、人が代金を支払って使用する電子・電子機器に適用された二次元コードに基づく装置の使用方法が開示されている。当該装置は、家電製品であってもよいが、これに限定されない。本実施例の装置は、洗濯機を例とし、当該方法を用いた洗濯機は、ケースと制御装置とを含み、ケースに二次元コードが設置されている。各洗濯機における二次元コードは、互いに異なり（各二次元コードはいずれもただひとつである）、各洗濯機は、このようなユニークな二次元コードとバインディングしている。二次元コードは、少なくともダウンロードアドレスフィールド、操作インターフェースアドレスフィールド、装置ユニークコードフィールドにより構成され、ここで、装置ユニークコードフィールドは、洗濯機のタイプコード、日付、ローカルシリアル番号により構成されるが、それに限定されない。
【００２１】
装置ユニークコードフィールドにおける日付は、限定されないが、バインディングされた洗濯機の生産日付、バインディングされた洗濯機の使用開始日付、又は二次元コードの生成日付でもよく、更に他の日付でもよく、この他の日付は、当該二次元コードを他の二次元コードと区別するために装置ユニークコードフィールドにプログラムされればよい。
【００２２】
ユーザは、ある洗濯機を目標洗濯機として選定し、アプリケーション（Ａｐｐ）を利用して操作を実行するが、制御方法は以下のステップを含む。
【００２３】
Ｓ１１０では、ユーザが使用する移動端末に目標洗濯機のアプリケーションがインストールされたか否かを判断し、目標装置のアプリケーションがインストールされた場合、Ｓ１４０へ移行し、目標装置のアプリケーションがインストールされていない場合、Ｓ１２０へ移行する。
【００２４】
Ｓ１２０では、移動端末が目標洗濯機の二次元コードを走査し、ダウンロードインタフェースへ進入し、アプリケーションのダウンロードを準備する。
【００２５】
Ｓ１３０では、移動端末が二次元コードによってアプリケーションをダウンロードしてインストールする。好ましくは、異なるモバイルバージョン（ＩＯＳ又はＡｎｄｒｏｉｄ）による異なるダウンロード及びインストール方式を具備する。
【００２６】
Ｓ１４０では、アプリケーションのインストールが完了した後に、アプリケーションを用いて二次元コードを走査し、アプリケーションで選定、予約及び／又は支払い等の操作を実行する。
【００２７】
本願の実施例に係る二次元コードに基づく装置の使用方法は、各装置を他の同類の装置から区別でき、ユーザの使用に便利であり、ユーザ体験が良い。本願の洗濯機は、上記の方法を用いて選定、予約及び／又は支払い等の操作を実行するので、使いやすい。
【００２８】
実施例２
本実施例では、二次元コードに基づく装置の使用方法が開示されている。本実施例の装置も洗濯機であり、当該方法を用いた洗濯機は、実施例１とほぼ同じであり、各洗濯機の二次元コードが互いに異なり（各二次元コードはいずれもただひとつである）、各洗濯機がこのようなユニークな二次元コードとバインディングしている。二次元コードは、少なくともダウンロードアドレスフィールド、操作インターフェースアドレスフィールド、装置ユニークコードフィールドを含む。
【００２９】
ユーザは、ある洗濯機を目標洗濯機として選定するが、アプリケーションを用いて操作を実行することが不便であるか、又はそれを利用するつもりがない場合（例えばＷＩＦＩが存在しない場合、或いはユーザは、今後当該洗濯機を使用することがないため、アプリケーションをインストールするための時間とデータ通信量を無駄にしたくない場合）、制御方法は以下のステップを含む。
【００３０】
Ｓ２１０では、移動端末が目標洗濯機の二次元コードを走査し、アプリケーションのダウンロードステップをスキップする。
【００３１】
Ｓ２２０では、移動端末が二次元コードによってサーバへリンクし、サーバのウェブページで当該洗濯機を直接ロックする。
【００３２】
Ｓ２３０では、移動端末がサーバのウェブページで選定、予約及び／又は支払い等の操作を実行する。
【００３３】
ここで、サーバはクラウドサーバでもよいが、それに限定されない。サーバがクラウドサーバである場合、洗濯機の制御装置がクラウドサーバに通信接続されている。
【００３４】
本願の実施例に係る二次元コードに基づく装置の使用方法は、各装置を他の同類の装置から区別でき、ユーザの使用に便利であり、ユーザ体験が良い。本願の洗濯機は、上記の方法を用いて選定、予約及び／又は支払い等の操作を実行するので、使いやすい。
【００３５】
なお、上記内容は本願の好ましい実施例及び運用された技術原理に過ぎない。本発明はここに記載した特定の実施例に限定されるわけではなく、当業者においては、本発明の保護範囲を逸脱しない範囲で、各種の変更、再調整及び置換を行うことができるということを理解すべきである。
【産業上の利用可能性】
【００３６】
本願の実施例は、二次元コードに基づく装置の使用方法及び洗濯機を提供し、上記方法を用いた洗濯機は、ケースと制御装置とを含み、ケースに二次元コードが設置されている。本願の二次元コードに基づく装置の使用方法は、各装置を他の同類の装置から区別でき、ユーザの使用に便利であり、ユーザ体験が良い。本願の洗濯機は、上記方法を用いて選定、予約及び／又は支払い等の操作を実行するので、使いやすい。
【図１】
2018534704.tif 000003
【図２】
2018534704.tif 000004
【国際調査報告】
2018534704.tif 000005
2018534704.tif 000006
2018534704.tif 000007
2018534704.tif 000008